(57)【特許請求の範囲】
【請求項１】
車体の前側に配置される取入口から、車体に搭載されたエンジン側に該取入口より後側で接続される送出口に繋がる空気流通路を画成する筒状のダクト本体部と、
前記ダクト本体部の取入口側に該ダクト本体部から延出する板状に形成され、板厚方向に貫通する取付孔に通して車体側の設置部に接続される締結手段で固定される取付部と、
前記取付部の後縁に凹むように形成され、車両衝突時における前記設置部の後方への相対変位により破断して前記締結手段が前記取付孔から抜け出すのを許容する破断予定部とを備え、
前記破断予定部は、前記取付部で全周が囲われる前記取付孔の中心を前後方向に通るラインよりも、前記ダクト本体部に繋がる取付部の根元側に形成された
ことを特徴とする車両吸気ダクト。
【請求項２】
前記破断予定部は、前記取付孔の中心から前記取付部の根元の後端を結んだライン上または当該ラインに近接する位置に形成された請求項１記載の車両吸気ダクト。
【請求項３】
前記破断予定部は、前記取付部の後縁において凸角をなすように連なる２つの辺により構成され、該２つの辺のうちで取付部の根元側に連なる辺が直線的に延在するように形成された請求項１または２記載の車両吸気ダクト。
【請求項４】
前記取付部は、前記取付孔と前記破断予定部との間の幅が、取付孔の後側を画成する開口縁のうちで最小、または該開口縁のうちの最小部位と同じになるように形成された請求項１〜３の何れか一項に記載の車両吸気ダクト。
【請求項５】
前記取付部は、前記ダクト本体部に繋がる根元の後端が、前記取付孔の後側を囲う後縁よりも後側に位置するように形成された請求項１〜４の何れか一項に記載の車両吸気ダクト。
【発明の詳細な説明】
【技術分野】
【０００１】
この発明は、エンジンに空気を導入する車両吸気ダクトに関するものである。
【背景技術】
【０００２】
多くの自動車(車両)では、車体の前部に画成されたエンジンルーム内にエンジンが搭載されている。このエンジンは、エンジンルーム内に設置されたエアクリーナー(吸気装置)を介して導入される空気と燃料タンクから供給される燃料とを混合させた混合気を燃焼させるものであるから、外部の空気を連続的かつ安定的に供給することが必要不可欠である。そこで、エアクリーナーに連結される外気導入用の車両吸気ダクトをエンジンルームの前側に設置し、車外の空気を取り込んでエアクリーナーへ案内している。
【０００３】
前記車両吸気ダクトは、左右のボルト挿通部のそれぞれに通したボルトをラジエターサポートの上面に締結することで、車体に対して固定されている(例えば特許文献１参照)。特許文献１の車両吸気ダクトは、一方のボルト挿通部が前後方向に延在する長孔形状に形成されると共に、他方のボルト挿通部が後側に開口する凹形状に形成されている。そして、車両が衝突してラジエターサポートが後側へ変位した際に、ボルト挿通部の前側領域に通されたボルトの後方への移動が許容されるので、ラジエターサポートが後方変位するのにかかわらず車両吸気ダクトを設置位置から移動しないようにできる。これにより、車両の衝突時に車両吸気ダクトが後方変位することで、車両吸気ダクトの後側に配置された備品にぶつかって破損してしまうことを防止している。
【先行技術文献】
【特許文献】
【０００４】
【特許文献１】特許第４０９６６０８号公報
【発明の概要】
【発明が解決しようとする課題】
【０００５】
特許文献１の取り付け構造は、ボルト挿通部の後側が開口しているので、ボルト挿通部にカラーを圧入した際にボルト挿通部の後側の開口側が開いて、カラーが芯ズレして車両吸気ダクトが正規の取り付け位置からずれてしまう。また、特許文献１のボルト挿通部は、後側が開口しているので、カラーの保持力が弱く、所定の保持力を確保するために特殊な形状のカラーを用いると、コストアップに繋がってしまう。
【０００６】
すなわち本発明は、従来の技術に係る前記問題に鑑み、これらを好適に解決するべく提案されたものであって、車両衝突時に車体側の設置部の相対的な後方変位を許容し得る車両吸気ダクトを提供することを目的とする。
【課題を解決するための手段】
【０００７】
前記課題を克服し、所期の目的を達成するため、本願の請求項１に係る発明の車両吸気ダクトは、
車体の前側に配置される取入口から、車体に搭載されたエンジン側に該取入口より後側で接続される送出口に繋がる空気流通路を画成する筒状のダクト本体部と、
前記ダクト本体部の取入口側に該ダクト本体部から延出する板状に形成され、板厚方向に貫通する取付孔に通して車体側の設置部に接続される締結手段で固定される取付部と、
前記取付部の後縁に凹むように形成され、車両衝突時における前記設置部の後方への相対変位により破断して前記締結手段が前記取付孔から抜け出すのを許容する破断予定部とを備え、
前記破断予定部は、前記取付部で全周が囲われる前記取付孔の中心を前後方向に通るラインよりも、前記ダクト本体部に繋がる取付部の根元側に形成されたことを要旨とする。
請求項１に係る発明によれば、取付部で全周が囲われた取付孔に締結手段を通して設置部に接続する構成であるから、締結手段の芯ズレを防止して、車両吸気ダクトを精度よく取り付けることができる。また、取付孔に嵌めたカラーに締結手段を通す場合に、取付孔に嵌め込んだカラーへの保持力が大きくなるから、車両吸気ダクトを車両に設置する前にカラーが脱落することを防止できる。そして、取付部の後縁において取付孔の中心を前後方向に通るラインよりもダクト本体部に繋がる根元側に破断予定部を形成することで、車両衝突時に設置部が後方へ相対変位した際に、破断予定部に応力を集中させることができる。これにより、取付部において破断予定部を起点として取付孔の後側の開口縁を適切に破断させることができ、取付孔からの締結手段の円滑な抜け出しが許容される。従って、車両衝突時に車両吸気ダクトの後方変位を防止して、車両吸気ダクトの後側に設置された部品との干渉を回避できる。
【０００８】
請求項２に係る発明では、前記破断予定部は、前記取付孔の中心から前記取付部の根元の後端を結んだライン上または当該ラインに近接する位置に形成されたことを要旨とする。
請求項２に係る発明によれば、車両衝突時に設置部が後方へ相対変位した際に、取付孔から取付部の根元の後端へ向けて応力が作用するので、取付孔の中心から取付部の根元の後端を結んだライン上または当該ラインに近接した位置に破断予定部を形成することで、破断予定部に応力をより効率よく集中させることができる。これにより、破断予定部を起点として取付孔の後側の開口縁をより適切に破断させることができ、取付孔からの締結手段のより円滑な抜け出しが許容される。
【０００９】
請求項３に係る発明では、前記破断予定部は、前記取付部の後縁において凸角をなすように連なる２つの辺により構成され、該２つの辺のうちで取付部の根元側に連なる辺が直線的に延在するように形成されたことを要旨とする。
請求項３に係る発明によれば、破断予定部が凸角をなすように凹んでいるので、車両衝突時に設置部が後方へ相対変位した際に、破断予定部に応力をより効率よく集中させることができる。これにより、破断予定部を起点として取付孔の後側の開口縁をより適切に破断させることができ、取付孔からの締結手段のより円滑な抜け出しが許容される。
【００１０】
請求項４に係る発明では、前記取付部は、前記取付孔と前記破断予定部との間の幅が、取付孔の後側を画成する開口縁のうちで最小、または該開口縁のうちの最小部位と同じになるように形成されたことを要旨とする。
請求項４に係る発明によれば、取付部における取付孔の後側開口縁において破断予定部が比較的脆弱に形成されると共に破断予定部に応力が集中するように配置されているので、車両衝突時に設置部が後方へ相対変位した際に、取付孔の後側開口縁を破断予定部でより円滑に破断させることができる。
【００１１】
請求項５に係る発明では、前記取付部は、前記ダクト本体部に繋がる根元の後端が、前記取付孔の後側を囲う後縁よりも後側に位置するように形成されたことを要旨とする。
請求項５に係る発明によれば、ダクト本体部に繋がる取付部の根元の前後幅を大きくすることができるから、取付部の根元の強度を向上することができる。
【発明の効果】
【００１２】
本発明に係る車両吸気ダクトによれば、車体に対して精度よく強固に取り付けることができると共に、車両衝突時に車体側の設置部の相対的な後方変位を円滑に許容できる。
【図面の簡単な説明】
【００１３】
【図１】本発明の好適な実施例に係る車両吸気ダクトを概略的に示す斜視図である。
【図２】(ａ)は実施例の車両吸気ダクトを概略的に示す平面図であり、(ｂ)は車両吸気ダクトの要部を示す平面図である。
【図３】図２(ａ)のＡ−Ａ線断面図である。
【図４】実施例の車両吸気ダクトの要部を概略的に示す底面図である。
【図５】実施例の車両吸気ダクトにおいて破断予定部が破断した状態を示す説明図である。
【発明を実施するための形態】
【００１４】
次に、本発明に係る車両吸気ダクトにつき、好適な実施例を挙げて、添付図面を参照して以下に説明する。なお、以下の説明において、車両への取付状態を基準として、車両吸気ダクトの前後左右上下を指称する。
【実施例】
【００１５】
図１に示すように、実施例に係る車両吸気ダクト２０は、一端に形成された取入口２４から他端に形成された送出口２６に繋がる空気流通路２２ａを画成するダクト本体部２２を主体として構成されている。車両吸気ダクト２０は、エンジンルームの前側に設置されるラジエターを固定するためのラジエターサポート１０の上部に設けられた設置部１１に、後述する取付部２８を介してダクト本体部２２の取入口２４側が固定され、取入口２４がラジエターサポート１０の上側に設置される(図２参照)。また、車両吸気ダクト２０は、送出口２６がエンジンルームに設置されたエンジンに繋がるエアクリーナー(吸気装置)１４に接続され、車体の前側に配置される取入口２４から取り込んだ外部の空気を、送出口２６からエンジン側であるエアクリーナー１４に送り出す。ダクト本体部２２は、取入口２４が前方へ向けて開口するように配置される。また、ダクト本体部２２は、取入口２４より下方へ湾曲してから左方へ曲がるように形成され、左方へ開口する送出口２６が取入口２４より後側に位置している。更に、ダクト本体部２２は、取入口２４が左右方向に細長い扁平形状で形成されると共に、取入口２４の開口上縁よりも開口下縁および開口側縁下部が前方へ突き出た形状になっている。なお、車両吸気ダクト２０としては、ポリプロピレン(ＰＰ)などからインジェクション成形やブロー成形などによって成形した樹脂成形品を用いることができ、全体を一体的に成形しても、複数の部品を組み立てて構成しても、何れであってもよい。
【００１６】
図３に示すように、車両吸気ダクト２０は、ダクト本体部２２の取入口２４側に設けられた取付部２８の取付孔３０に嵌めたカラー１８に通したボルト(締結手段)１６を、車体側となる前記設置部１１を挟んでナット１２に締結し、ボルト１６により取付部２８が固定されることで、車体に対して取り付けられる。車両吸気ダクト２０は、ダクト本体部２２の前部に、取入口２４を挟んで左右方向へ互いに反対向きに延出する一対の取付部２８,２８を備え、実施例では、一対の取付部２８,２８が左右対称な形状で形成されている(図２(ａ)参照)。取付部２８は、ダクト本体部２２の側面下部から左右方向へ延出すると共に上下方向が板厚方向となる板状部分であり、円形の取付孔３０が板厚方向に貫通するように形成されている。取付部２８は、内側に設けた取付孔３０における前後左右の全周を囲っており(図２参照)、取付孔３０は、その一部が取付部２８の外縁に開放する切り欠き形状ではない。
【００１７】
図２に示すように、取付部２８は、取入口２４の開口下縁に連なる前縁がダクト本体部２２から離れるにつれて後側へ傾き、取付孔３０の横側に延在する側縁が該取付孔３０を中心とする円弧状に湾曲している。取付部２８の前縁には、上方へ突出する壁片２８ａが形成され、この壁片２８ａがダクト本体部２２の側面に繋がると共に、ダクト本体部２２の側面から取付孔３０の横側(より具体的には取付孔３０の中心を左右方向に通るライン)までに亘って延在している。このように、取付部２８の前縁は、壁片２８ａにより補強されている。
【００１８】
図２に示すように、取付部２８には、車両衝突時における設置部１１の後方への相対変位により破断してボルト１６およびカラー１８が取付孔３０から抜け出すのを許容する破断予定部３２が、後縁に形成されている。破断予定部３２は、取付部２８の後縁に形成された凹みであり、取付部２８で全周が囲われる取付孔３０の中心を前後方向に通る前後ライン(ライン)Ｌ１よりも、ダクト本体部２２に繋がる取付部２８の根元側にずらして形成されている。実施例の破断予定部３２は、取付部２８において取付孔３０よりも後側に延在する後縁を、前方へ向けて略三角形状に切り欠いたＶノッチ形状で形成され、凹みの底の角が前後ラインＬ１よりも取付部２８の根元側に配置される。また、破断予定部３２は、取付孔３０の中心から取付部２８の根元の後端を結んだ傾斜ライン(ライン)Ｌ２上または当該傾斜ラインＬ２に近接する位置(実施例)に形成される。ここで、破断予定部３２は、傾斜ラインＬ２からずらす場合は、取付部２８の大きさなどに応じて変動するが、傾斜ラインＬ２から３ｍｍ以下に設定するのが好ましく、傾斜ラインＬ２よりも取付部２８の根元側に設定するほうがよい。
【００１９】
図２(ｂ)に示すように、破断予定部３２は、取付部２８の後縁において凸角をなすように連なる２つの辺により構成され、該２つの辺のうちで取付部２８の根元側に連なる辺(根元辺という)が直線的に延在するように形成されている。取付部２８の根元辺は、前から後に向かうにつれて根元側へ傾くように延在し、前記傾斜ラインＬ２に沿って、または傾斜ラインＬ２となす角が鋭角より小さくなるように傾斜ラインＬ２におおよそ合わせて設定される。また、破断予定部３２を構成する２つの辺のうちで取付孔３０の後側に連なる辺(延出辺という)は、後から前に向かうにつれて根元側へ傾く直線状に延在している。そして、取付部２８の後縁において前記延出辺に連なって取付孔３０の後側に延在する部分は、取付孔３０を中心とする円弧状に形成されている。ここで、取付部２８は、ダクト本体部２２に繋がる根元の後端が、該取付部２８の後縁において取付孔３０の後側に延在する部分よりも後側に位置するように形成され、取付部２８において前後ラインＬ１上の前後幅よりも根元の前後幅が大きくなっている。
【００２０】
前記取付部２８は、取付孔３０の後側を画成する後側開口縁の幅が、該取付孔３０と破断予定部３２との間で最小になっている。なお、取付孔３０を画成する開口縁の幅とは、取付孔３０の縁から取付部２８の縁までの最短距離をいう。取付部２８は、取付孔３０を中心とする円弧状に延在する側縁から後縁にかけて取付孔３０の開口縁幅がほぼ一定に形成される一方で、前側に凹む破断予定部３２により、取付孔３０の半径方向に沿う開口縁幅が前後ラインＬ１が通る部位よりも小さくなっている。このように、取付部２８は、前後ラインＬ１よりも根元側にずれた破断予定部３２で、取付孔３０の後側を囲う後側開口縁が最も脆弱になるように設定されている。
【００２１】
図４に示すように、取付部２８の裏面には、板厚方向に凹んだ凹状部３４が形成されている。取付部２８は、該取付部２８の縁および取付孔３０の周りを残して凹状部３４が基本的に形成され、取付部２８の縁および取付孔３０の縁が凹状部３４の形成部位と比べて厚い厚板部位３６となっている。実施例では、取付孔３０の中心を左右方向に通ってダクト本体部２２から取付孔３０の側縁までのライン、取付孔３０の中心を左右方向に通って取付孔３０の側縁から取付部２８の側縁までのライン、および取付孔３０の中心を前後方向に通って取付孔３０の前縁から取付部２８の前縁までのラインには、凹状部３４が設けられず、凹状部３４の形成部位と比べて板厚が大きい厚板部位３６となっている。このように、車両吸気ダクト２０は、取付部２８の裏面に凹状部３４を設けることで、車体に設置した際に表側に現れる取付部２８の上面においてヒケなどの変形を防止している。
【００２２】
図３に示すように、車両吸気ダクト２０は、取付孔３０に嵌め合わせた円筒形状のカラー１８の内側を通して、締結手段としてのボルト１６をラジエターサポート１０の設置部１１に設けられたナット１２にねじ込んで、取付部２８が車体に対して固定される。なお、実施例では、ナット１２がラジエターサポート１０の設置部１１に溶接で予め固定されている。カラー１８は、その外径が取付孔３０の径よりわずかに大きく設定されると共に、高さ(長さ)が取付部２８の板厚(厚板部位３６の厚み)よりわずかに大きく設定されている。車両吸気ダクト２０は、設置部１１の上面とボルト１６の頭部との間に挟まれて固定されるカラー１８により、取付部２８の前後左右方向の移動が規制される。また、車両吸気ダクト２０は、ボルト１６を締結した際にボルト１６の頭部をカラー１８に当接させて取付部２８の上面に接触しないようにすることで、取付部２８に対してボルト１６から板厚方向に面圧がかからないようにしてある。
【００２３】
〔実施例の作用〕
次に、実施例に係る車両吸気ダクト２０の作用について説明する。車両が衝突した際に、車体の前側に設置されたラジエターおよびラジエターサポート１０が後方へ変位し、このとき、ラジエターサポート１０の設置部１１のナット１２に接続したボルト１６も後方変位しようとする。そして、ボルト１６を通したカラー１８から取付部２８における取付孔３０の後側開口縁に力がかかると、破断予定部３２を起点として取付部２８の後側開口縁が取付孔３０の後方を開放するように破断し、ボルト１６およびカラー１８の後方変位が許容される(図５参照)。ここで、車両吸気ダクト２０は、取付部２８の後縁において取付孔３０の中心を前後方向に通る前後ラインＬ１よりもダクト本体部２２に繋がる根元側にずらして破断予定部３２を形成してあるので、取付孔３０の真後ろではなく取付部２８の根元側へ向けてかかる応力を破断予定部３２に集中させることができる。これにより、車両衝突時に設置部１１が後方へ相対変位した際に、取付部２８において破断予定部３２を起点として取付孔３０の後側開口縁をより適切かつ円滑に破断させることができ、取付孔３０からのボルト１６およびカラー１８のスムーズな抜け出しが許容される。車両吸気ダクト２０は、送出口２６がエアクリーナー１４に接続されているので、取付孔３０からボルト１６およびカラー１８が抜け出すことで、設置部１１の後方変位に追随することなく取り付けた位置に留まる。従って、車両衝突時に車両吸気ダクト２０の後方変位を防止して、車両吸気ダクト２０の後側に設置されたラジエター注水部などの部品との干渉を回避できる。また、車両衝突時に、車両吸気ダクト２０のダクト本体部２２自体が破損してしまうような再起不能な事態を回避できる。
【００２４】
車両衝突時に設置部１１が後方へ相対変位した際に、取付孔３０から取付部２８の根元の後端へ向けて応力が作用するので、取付孔３０の中心から取付部２８の根元の後端を結んだ傾斜ラインＬ２に近接する位置に破断予定部３２を形成することで、破断予定部３２に応力をより効率よく集中させることができ、取付孔３０の後側開口縁をより円滑に破断させることができる。また、破断予定部３２がＶノッチ状の凸角をなすように凹んでいるので、車両衝突時に設置部１１が後方へ相対変位した際に、狭い範囲に応力をより効率よく集中させることができ、取付孔３０の後側開口縁をより円滑に破断させることができる。取付部２８は、取付孔３０と破断予定部３２との間の幅が、取付孔３０の後側を画成する開口縁のうちで最小に設定してある。これにより、取付部２８における取付孔３０の後側開口縁において破断予定部３２の形成位置が比較的脆弱に形成されると共に破断予定部３２に応力が集中するように配置されているので、車両衝突時に設置部１１が後方へ相対変位した際に、取付孔３０の後側開口縁を破断予定部３２を起点としてより円滑に破断させることができる。
【００２５】
前記車両吸気ダクト２０は、取付部２８で全周が囲われた取付孔３０にカラー１８を嵌め込む構成であるから、カラー１８の嵌め込みにより取付孔３０が開くなどの変形を防止でき、取付孔３０に嵌め込んだカラー１８およびこのカラー１８に通すボルト１６の芯ズレを回避できる。そして、車両吸気ダクト２０は、取付孔３０に嵌め込んだカラー１８の内側を通したボルト１６を設置部１１のナット１２に接続する構成であるから、設置部１１に対する取り付け位置のズレを防止して、車体に対して精度よく取り付けることができる。また、取付孔３０に通したカラー１８の全周が取付孔３０を囲う取付部２８の開口縁で保持されるので、カラー１８の保持力(引き抜き荷重)が向上し、カラー１８を取付部２８に対して強固に取り付けることができる。このように、取付孔３０に嵌め込んだカラー１８の保持力が高いので、引き抜き荷重を向上するために特殊な形状なカラー１８を用いる必要はなく、一般的なカラー１８を用いることができ、取り付けにかかるコストを抑えることができる。更に、取付孔３０に嵌め込んだカラー１８への保持力が大きくなるから、車両吸気ダクト２０を車両に設置する前にカラー１８が脱落することを防止できる。そして、車両吸気ダクト２０は、車両衝突時に取付部２８が破断予定部３２で破断して取付孔３０からのボルト１６およびカラー１８の抜け出しを許容する構成であるが、取付部２８に破断予定部３２を設けても、車体に対して精度よく強固に取り付けできる。しかも、取付部２８は、ダクト本体部２２に繋がる根元の後端が、取付孔３０の後側を囲う後縁よりも後側に位置するように形成されているので、取付部２８の根元の前後幅を大きくすることができ、取付部２８の根元の強度を向上することができる。
【００２６】
(変更例)
前述した実施例に限らず、例えば以下のようにも変更可能である。
(１)実施例では、取付孔と破断予定部との間の幅が、取付孔の後側開口縁のうちで最小になるように設定したが、取付部は、取付孔と破断予定部との間の幅を、取付孔の後側開口縁のうちの最小部位と同じになるように形成してもよい。この場合であっても、取付部の根元側へ向けて作用する応力が破断予定部に集中するので、破断予定部を起点として取付孔の後側開口縁を破断することができる。
(２)破断予定部をなす凹みの形状は、実施例の形状が好適であるが、スリット状やその他の形状であってもよい。
(３)締結手段は、実施例の構成に限らず、例えばボルトとして段付きボルトを用いることやリベットなど、取付部を設置部に対して固定可能なその他の手段を採用できる。
(４)実施例では、取付部の裏面に凹状部を設けたが、この凹状部を破断予定部から取付孔の縁までの最短距離となる直線状になるように設けてもよい。このような構成とすることで、車両衝突時に取付部をより破断し易くすることができる。
【符号の説明】
【００２７】
１１ 設置部，１６ ボルト(締結手段)，２２ ダクト本体部，２２ａ 空気流通路，
２４ 取入口，２６ 送出口，２８ 取付部，３０ 取付孔，３２ 破断予定部，
Ｌ１ 前後ライン(取付孔の中心を前後方向に通るライン)，
Ｌ２ 傾斜ライン(取付孔の中心から取付部の根元の後端を結んだライン)
【図１】
0006639179.tif 000002
【図２】
0006639179.tif 000003
【図３】
0006639179.tif 000004
【図４】
0006639179.tif 000005
【図５】
0006639179.tif 000006